(57)【要約】      （修正有）【課題】ランドセルの被せ蓋に取付けられ、救命具として使用可能な防災救命ランドセルカバーを提供する。【解決手段】防災救命ランドセルカバー１０は、外装部材１３と、外装部材に長手方向基部を除く外周部が連結された内装部材１４とを備え、外装部材と内装部材の長手方向基部との間には開口が、内装部材の長手方向中央部には開口より挿入された被せ蓋１２の取り出し口が、内装部材の長手方向先部には被せ蓋の先側の掛止部１７の保持部がそれぞれ形成されたカバー本体２１を有し、カバー本体内にはシート状発泡材を有する。また、カバー本体の両側部の基側には第１、第２の挿通孔２６、２７、先側には第３、第４の挿通孔、一方が第１、第３の挿通孔を挿通し、他方が第２、第４の挿通孔を挿通し、端部に抜け留め部３０、３１が形成された紐部材３２、および紐部材の紐留めストッパーを有する。【選択図】図１
0003209091.tif 000002
【実用新案登録請求の範囲】
【請求項１】
ランドセルの被せ蓋に取り付けられ、かつ救命具として使用可能な防災救命ランドセルカバーであって、
伸縮性を有し、角部が円弧状となった矩形の外装部材と、該外装部材に長手方向基部を除く外周部が連結された伸縮性を有する内装部材とを備え、前記外装部材の長手方向基部と前記内装部材の長手方向基部との間に開口が、前記内装部材の長手方向中央部に前記開口より該内装部材の裏側に挿入された前記被せ蓋を該内装部材の表側に通過させる取り出し口が、前記内装部材の長手方向先部に前記被せ蓋の先側の掛止部が挿通可能な保持部がそれぞれ形成されたカバー本体と、前記外装部材と前記内装部材との間に配置される柔軟性を有するシート状発泡材とを有し、
更に、前記カバー本体の両側部の長手方向の中央より基側の位置にそれぞれ形成された対となる第１、第２の挿通孔と、前記カバー本体の両側部の長手方向の中央より先側の位置にそれぞれ形成された対となる第３、第４の挿通孔と、一方が前記第１、第３の挿通孔を挿通し、他方が前記第２、第４の挿通孔を挿通して、それぞれ端部に抜け留め部が形成された紐部材と、該紐部材の中央に設けられた紐留めストッパーとを有することを特徴とする防災救命ランドセルカバー。
【請求項２】
請求項１記載の防災救命ランドセルカバーにおいて、前記抜け留め部は、前記カバー本体を形成する前記外装部材の表側にあり、前記紐留めストッパーは、前記内装部材の表側にあることを特徴とする防災救命ランドセルカバー。
【請求項３】
請求項１又は２記載の防災救命ランドセルカバーにおいて、前記カバー本体の長手方向基部には、前記シート状発泡材の長手方向基側を覆う内蓋が連結されていることを特徴とする防災救命ランドセルカバー。
【請求項４】
請求項１〜３のいずれか１項に記載の防災救命ランドセルカバーにおいて、前記外装部材及び前記内装部材は、厚みが１．８〜４ｍｍで表裏面が布地となった独立気泡を有する発泡ゴムシートからなることを特徴とする防災救命ランドセルカバー。
【請求項５】
請求項１〜４のいずれか１項に記載の防災救命ランドセルカバーにおいて、前記内装部材の前記開口と前記取り出し口に挟まれた領域には複数の貫通孔が設けられていることを特徴とする防災救命ランドセルカバー。
【請求項６】
請求項１〜５のいずれか１項に記載の防災救命ランドセルカバーにおいて、前記外装部材の表側には、蛍光反射材が設けられていることを特徴とする防災救命ランドセルカバー。
【請求項７】
請求項１〜６のいずれか１項に記載の防災救命ランドセルカバーにおいて、前記外装部材と前記内装部材の外周部は、接合され、かつ縁取り用バイアステープを被せて縫合されていることを特徴とする防災救命ランドセルカバー。
【考案の詳細な説明】
【技術分野】
【０００１】
本考案は、ランドセルの被せ蓋に取り付けられ、かつ救命具として使用可能な防災救命ランドセルカバーに関する。
【背景技術】
【０００２】
地震や水害等の災害の発生及び程度は正確に予測ができないため、災害弱者である児童が、登校時、在校時又は下校時に発生した災害から身を守るには、防災用具を携帯していることが望ましい。ここで、例えば、救命具や防災頭巾といった防災用具は、抱えたり、身に着けたりして使用するため、折り畳んでも携帯が容易となる寸法にまで小型化することは困難である。このため、防災用具の携帯を確実かつ容易に実現しようとすると、児童が使用するランドセルを利用することが好ましい。そこで、例えば、特許文献１、２には、折り畳んでランドセルに収容可能な防災頭巾が提案されている。
【先行技術文献】
【特許文献】
【０００３】
【特許文献１】特開２００７−１１１０７８号公報
【特許文献２】特開２０１６−３４３８９号公報
【考案の概要】
【考案が解決しようとする課題】
【０００４】
しかしながら、特許文献１、２に記載のように、ランドセル本体内に防災頭巾の専用収容部を設けると、ランドセル本体の容積（幅寸法や厚み（まち）寸法）が増加することになって、低学年の（体格の小さな）児童にとってはランドセルを背負う際の負担が大きくなるという問題があり、使用中のランドセルでは、ランドセル本体内に収容可能な学用品の量が減少するという問題が生じる。
また、ランドセル本体の背板内に防災頭巾を収容する場合は、使用中のランドセルでは、背板を改造しなければならず、現実性に欠けるという問題がある。更に、ランドセルの被せ蓋の内側に防災頭巾を取り付けると被せ蓋が実質的に厚くなることになって、ランドセル本体に対する被せ蓋の掛止位置が変化し、被せ蓋のランドセル本体への掛止が難くなったり、ランドセル本体や被せ蓋に変形や損傷が生じ易くなるという問題がある。
このため、ランドセルに取り付けられても、ランドセルの使用上において何ら問題が発生せず、ランドセルの変形や損傷の要因ともならず、しかも、多用途に使用可能な防災用具が求められている。
【０００５】
本考案はかかる事情に鑑みてなされたもので、ランドセルの被せ蓋に取り付けられ、かつ救命具として使用可能な防災救命ランドセルカバーを提供することを目的とする。
【課題を解決するための手段】
【０００６】
前記目的に沿う本考案に係る防災救命ランドセルカバーは、ランドセルの被せ蓋に取り付けられ、かつ救命具として使用可能な防災救命ランドセルカバーであって、
伸縮性を有し、角部が円弧状となった矩形の外装部材と、該外装部材に長手方向基部を除く外周部が連結された伸縮性を有する内装部材とを備え、前記外装部材の長手方向基部と前記内装部材の長手方向基部との間に開口が、前記内装部材の長手方向中央部に前記開口より該内装部材の裏側に挿入された前記被せ蓋を該内装部材の表側に通過させる取り出し口が、前記内装部材の長手方向先部に前記被せ蓋の先側の掛止部が挿通可能な保持部がそれぞれ形成されたカバー本体と、前記外装部材と前記内装部材との間に配置される柔軟性を有するシート状発泡材とを有し、
更に、前記カバー本体の両側部の長手方向の中央より基側の位置にそれぞれ形成された対となる第１、第２の挿通孔と、前記カバー本体の両側部の長手方向の中央より先側の位置にそれぞれ形成された対となる第３、第４の挿通孔と、一方が前記第１、第３の挿通孔を挿通し、他方が前記第２、第４の挿通孔を挿通して、それぞれ端部に抜け留め部が形成された紐部材と、該紐部材の中央に設けられた紐留めストッパーとを有する。
【０００７】
本考案に係る防災救命ランドセルカバーにおいて、前記抜け留め部は、前記カバー本体を形成する前記外装部材の表側にあり、前記紐留めストッパーは、前記内装部材の表側にあることが好ましい。
このような構成とすることにより、外装部材の表側に露出する紐部材が短くなるようにして紐部材をカバー本体に掛止することができ、カバー本体をランドセルの被せ蓋に取り付けた際に、露出する紐部材が周囲に存在する物に絡まる可能性を少なくすることができる。また、内装部材側に存在している紐部材を引いた際、カバー本体を防災頭巾の状態に効率的に変形させることができる。更に、紐留めストッパーにより紐部材を引いた状態を固定できるので、カバー本体を防災頭巾に変形させた状態を維持することができる。
【０００８】
本考案に係る防災救命ランドセルカバーにおいて、前記カバー本体の長手方向基部には、前記シート状発泡材の長手方向基側を覆う内蓋が連結されていることが好ましい。
これによって、外装部材と内装部材との間に配置されたシート状発泡材が外部に飛び出すことを防止できる。
【０００９】
本考案に係る防災救命ランドセルカバーにおいて、前記外装部材及び前記内装部材は、厚みが１．８〜４ｍｍで表裏面が布地となった独立気泡を有する発泡ゴムシートからなることが好ましい。
これによって、伸縮性、軽量性、及び耐水性を有し、かつ手触り及び肌触りの良いカバー本体を形成することができる。
【００１０】
本考案に係る防災救命ランドセルカバーにおいて、前記内装部材の前記開口と前記取り出し口に挟まれた領域には複数の貫通孔が設けられていることが好ましい。
このような構成とすることにより、カバー本体の開口から頭部を内装部材とシート状発泡材との間に挿入し、取り出し口から頭部上側を内装部材の表側に突出させた状態にすると、内装部材の開口と取り出し口に挟まれた領域の背面側に鼻孔や口を位置することができる。これにより、複数の貫通孔を介して呼吸や会話を容易に行うことができる。
【００１１】
本考案に係る防災救命ランドセルカバーにおいて、前記外装部材の表側には、蛍光反射材が設けられていることが好ましい。
これにより、例えば、車のヘッドライトからカバー本体に光が照射されると、蛍光反射材を介して光を反射することができ、ドライバーの夜間視認性を向上させることができる。更に、蛍光反射材のため、光が照射されると蛍光は一定時間放射されることになって、夜間視認性を更に向上させることができる。
【００１２】
本考案に係る防災救命ランドセルカバーにおいて、前記外装部材と前記内装部材の外周部は、接合され、かつ縁取り用バイアステープを被せて縫合されていることが好ましい。
これによって、外装部材と内装部材の外周部同士の連結強度を高めることができると共に、見栄えを良くすることができる。
【考案の効果】
【００１３】
本考案に係る防災救命ランドセルカバーは、従来のランドセルカバーと同様、常時はランドセルカバーとして使用されるため、ランドセルの使用上において問題が発生することはなく、ランドセルに変形や損傷が生じることもない。
また、防災救命ランドセルカバーは、ランドセルの被せ蓋に取り付ける構造となっているので、災害発生時に素早く取り外して使用することができる。
更に、防災救命ランドセルカバーのカバー本体は、伸縮性を有する外装部材と内装部材を用いて形成されているので伸縮性を備えることになって、被せ蓋に対する着脱を容易に行うことができると共に、着脱時の破損を防止することができる。
【００１４】
外装部材と内装部材との間にシート状発泡材が挿入されている状態のカバー本体は、水中では浮力を発揮することになり、ランドセルを背負った児童が水中に落下しても、浮くことができ、救命具として使用することができる。更に、シート状発泡材が挿入された状態のカバー本体は、矩形状を維持することができるため、防災救命ランドセルカバーを水平状態にして投擲すると、防災救命ランドセルカバーを要救助者のもとに容易に届けることができる。
【００１５】
カバー本体が伸縮性を有し、シート状発泡材は柔軟性を有するので、カバー本体の開口から頭部を内装部材とシート状発泡材との間に挿入して、取り出し口から頭部上側を内装部材の表側に突出させることができると共に、対となる第１、第２の挿通孔を頭部の背面側に、対となる第３、第４の挿通孔を頭部の上方にそれぞれ位置させることができる。そして、紐部材の内装部材の表側に存在している部分を引くことにより、変形する外装部材を介してシート状発泡材の頸部の後側に配置された部分を頸部背面側に当接させることができ、カバー本体（内装部材、シート状発泡材及び外装部材）の先側を内装部材を内側にして頭頂部に当接するように屈折させることができる。これにより、外装部材と内装部材との間にシート状発泡材が配置された状態のカバー本体を頭部を覆う防災頭巾に変形させることができる。
ここで、紐部材の中央に設けられた紐留めストッパーを用いて、紐部材において対となる第１、第２の挿通孔を繋ぐ部分の長さを調節して固定することにより、防災頭巾の状態となった（防災頭巾に変形した）カバー本体の形状を保持することができる。
【図面の簡単な説明】
【００１６】
【図１】本考案の一実施の形態に係る防災救命ランドセルカバーをランドセルの被せ蓋に取り付けた際の（Ａ）は斜視図、（Ｂ）は側面図である。
【図２】同防災救命ランドセルカバーの正面図である。
【図３】同防災救命ランドセルカバーの背面図である。
【図４】図２のＰ−Ｐ矢視図である。
【図５】同防災救命ランドセルカバーを防災頭巾に変形させた状態を示す説明図である。
【考案を実施するための形態】
【００１７】
続いて、添付した図面を参照しつつ、本考案を具体化した実施の形態につき説明し、本考案の理解に供する。
図１（Ａ）、（Ｂ）に示すように、本考案の一実施の形態に係る防災救命ランドセルカバー１０は、ランドセル１１の被せ蓋１２に取り付けられ、かつ救命具又は防災頭巾として使用可能なものである。以下、詳細に説明する。
【００１８】
図２〜図４に示すように、本考案の一実施の形態に係る防災救命ランドセルカバー１０は、伸縮性を有し、角部が円弧状となった矩形の外装部材１３と、外装部材１３に長手方向基部（以下、単に基部という）を除く外周部が連結された伸縮性を有する内装部材１４とを備え、外装部材１３の基部と内装部材１４の基部との間に開口１５が、内装部材１４の長手方向中央部に開口１５より内装部材１４の裏側に挿入された被せ蓋１２を内装部材１４の表側に通過させる取り出し口１６が、内装部材１４の長手方向先部に被せ蓋１２の先側の掛止部１７が挿通可能な保持部２０がそれぞれ形成されたカバー本体２１と、外装部材１３と内装部材１４との間に配置される柔軟性を有するシート状発泡材２２とを有している。
【００１９】
外装部材１３と内装部材１４の外周部は、接着剤を介して接合され、かつ縁取り用バイアステープ３４を被せて縫合されている。ここで、外装部材１３及び内装部材１４は、厚みが、例えば、１．８〜４ｍｍで表裏面が布地となった独立気泡を有する発泡ゴムシート（例えば、発泡クロロプレンゴムシート）からなる。なお、布地としては、発泡ゴムシートと同程度の伸縮性を有するものを使用することが好ましい。また、布地を設ける代わりに、外装部材及び内装部材の表裏面に起毛加工を施してもよい。
シート状発泡材２２は、例えば、発泡合成樹脂成形体の一例であるウレタンフォームを用いて形成されている。シート状発泡材２２の厚さは、例えば、２０〜３０ｍｍである。なお、本実施の形態では、３枚のシート状発泡材２２を重ねて総厚さを２０〜３０ｍｍとしているが、シート状発泡材の枚数は、１枚、２枚、又は４枚以上としてもよい。
【００２０】
更に、防災救命ランドセルカバー１０は、図２、図３に示すように、カバー本体２１の両側部の長手方向の中央より基側の位置にそれぞれ形成された対となる第１、第２の挿通孔２６、２７と、カバー本体２１の両側部の長手方向の中央より先側の位置にそれぞれ形成された対となる第３、第４の挿通孔２８、２９と、一方側が第１、第３の挿通孔２６、２８を挿通し、他方側が第２、第４の挿通孔２７、２９を挿通して、それぞれ端部に抜け留め部３０、３１が形成された紐部材３２（材質は、例えば、ポリエチレン）と、紐部材３２の中央に設けられた紐留めストッパー３３とを有している。
【００２１】
紐部材３２の長手方向の中央部は内装部材１４の表側に配置されている。そして、紐部材３２の一方側は、第１の挿通孔２６を内装部材１４の表側から通過して外装部材１３の表側に進入し、外装部材１３の表側からカバー本体２１の一方の側部を越えて内装部材１４の表側に戻り、第３の挿通孔２８を内装部材１４の表側から通過して外装部材１３の表側に再び進入している。また、紐部材３２の他方側は、第２の挿通孔２７を内装部材１４の表側から通過して外装部材１３の表側に進入し、外装部材１３の表側からカバー本体２１の他方の側部を越えて内装部材１４の表側に戻り、第４の挿通孔２９を内装部材１４の表側から通過して外装部材１３の表側に再び進入している。
【００２２】
ここで、紐部材３２の一方側の端部には、第３の挿通孔２８の外装部材１３表側に掛止される抜け留め部３０が、紐部材３２の他方側の端部には、第４の挿通孔２９の外装部材１３表側に掛止される抜け留め部３１がそれぞれ形成されている。このため、紐部材３２の中央（内装部材１４の表側）に設けられている紐留めストッパー３３を紐部材３２の中央から両端側に向けて移動させることにより、紐留めストッパー３３を介して対となる第１、第２の挿通孔２６、２７を繋ぐ紐部材３２の両側の長さを調節することができる。
【００２３】
図３、図４に示すように、保持部２０の入口１８と出口１９は、内装部材１４の先側に内装部材１４の幅方向に沿って２つの切り込みを設けることにより形成されている。このため、入口１８と出口１９の間は、内装部材１４と同材質の接続部材２０ａで連結されている。これにより、形成された切り込みが進展する（即ち、入口１８と出口１９の長さが拡大する）ことを防止できる。
図３、図４に示すように、カバー本体２１（外装部材１３）の基部には、外装部材１３と内装部材１４との間に配置された複数のシート状発泡材２２の基側を覆う内蓋２３が連結されている。また、外装部材１３の表側には、例えば、テープ状の蛍光反射材２４が取り付けられている。更に、内装部材１４の開口１５と取り出し口１６に挟まれた領域には、複数の貫通孔２５が設けられている。
【００２４】
外装部材１３、内装部材１４及び内蓋２３がそれぞれ発泡ゴムシートを用いて形成されているので、内蓋２３を基部で折り返して内蓋２３を外装部材１３の表側に移動させて、開口１５を拡大させることができる。これにより、開口１５から外装部材１３と内装部材１４との間（カバー本体２１内）に複数のシート状発泡材２２を容易に挿入することができる。また、挿入後に、内蓋２３を内装部材１４の表側に戻して、シート状発泡材２２と内装部材１４との間に容易に挿入することができる。更に、シート状発泡材２２の挿入後は、外装部材１３と内装部材１４はそれぞれシート状発泡材２２の外形に沿うように変形させることができ、カバー本体２１の形状を容易に整えることができる。
【００２５】
続いて、本考案の一実施の形態に係る防災救命ランドセルカバー１０の作用について説明する。
図３に示すように、防災救命ランドセルカバー１０（カバー本体２１）の基部から先側に向けて、開口１５、取り出し口１６、及び入口１８と出口１９を備えた保持部２０が並べて形成されているので、図１（Ａ）、（Ｂ）に示すように、ランドセル１１の被せ蓋１２の先側に設けられた掛止部１７を、開口１５、取り出し口１６、保持部２０の順に通過させることにより、被せ蓋１２の基側を内装部材１４における開口１５と取り出し口１６に挟まれた領域で保持することができ、被せ蓋１２の先側を掛止部１７を介して保持部２０で掛止することができる。これにより、被せ蓋１２に防災救命ランドセルカバー１０を容易に取り付けることができると共に、被せ蓋１２から防災救命ランドセルカバー１０を容易に取り外すことができる。
【００２６】
なお、防災救命ランドセルカバー１０を被せ蓋１２に取り付ける際は、紐留めストッパー３３を予め操作して、紐部材３２において、外装部材１３の表側に露出する部分に弛みが生じないようにすると共に、対となる第１、第２の挿通孔２６、２７から内装部材１４の表側に存在する部分は、取り出し口１６から内装部材１４の裏側に挿入しておくことが好ましい。
【００２７】
防災救命ランドセルカバー１０のカバー本体２１を構成する外装部材１３と内装部材１４、及び内蓋２３は、それぞれ独立気泡を有する発泡ゴムシートからなり、シート状発泡材２２は、例えば、ウレタンフォームを用いて形成されているので、防災救命ランドセルカバー１０を軽量とすることができる。このため、防災救命ランドセルカバー１０を被せ蓋１２に取り付けても、ランドセル１１を背負った際の負担増加を少なくすることができる。
また、防災救命ランドセルカバー１０のカバー本体２１を構成する外装部材１３と内装部材１４が発泡ゴムシートからなるので、カバー本体２１も伸縮性を有することになって、被せ蓋１２に対して防災救命ランドセルカバー１０を着脱する際に、カバー本体２１に過度の力が作用してもカバー本体２１の破損を防止することができる。
【００２８】
そして、外装部材１３と内装部材１４との間にシート状発泡材２２が配置されているため、ランドセルを背負った児童が水中に落下しても、浮くことができ、救命具として使用することができる。更に、シート状発泡材２２が挿入された状態のカバー本体２１は、矩形状を維持することができるため、人が水中に落下した場合、ランドセル１１の被せ蓋１２から取り外した防災救命ランドセルカバー１０を水平状態にして投擲することにより、防災救命ランドセルカバー１０を水中の要救助者に容易に届けることができる。
【００２９】
また、地震等の災害発生時には、防災救命ランドセルカバー１０をランドセル１１の被せ蓋１２から取り外し、図５に示すように、取り出し口１６から内装部材１４の裏側に挿入した紐部材３２を取り出して、防災救命ランドセルカバー１０のカバー本体２１の開口１５から児童が頭部を内装部材１４とシート状発泡材２２との間に挿入し、取り出し口１６から頭部上側を内装部材１４の表側に突出させると、対となる第１、第２の挿通孔２６、２７を頭部の背面側に、対となる第３、第４の挿通孔２８、２９を頭部の上方にそれぞれ位置させることができる。このとき、児童の口は、内装部材１４において開口１５と取り出し口１６に挟まれ、複数の貫通孔２５が形成された領域の背面側に位置することになるため、複数の貫通孔２５を介して呼吸や会話を容易に行うことができる。
【００３０】
次いで、紐部材３２の内装部材１４の表側に存在している部分を引くことにより、変形する外装部材１３を介してシート状発泡材２２の頸部の後側に配置された部分を頸部背面側に当接させることができ、カバー本体２１（内装部材１４、シート状発泡材２２及び外装部材１３）の先側を内装部材１４を内側にして頭頂部に当接するように屈折させることができる。これにより、外装部材１３と内装部材１４との間にシート状発泡材２２が配置された状態のカバー本体２１を頭部を覆う防災頭巾に変形させることができる。
【００３１】
そして、紐留めストッパー３３を紐部材３２に沿って移動させて、紐部材３２において、紐留めストッパー３３を介して対となる第１、第２の挿通孔２６、２７を繋ぐ部分の長さ、即ち、第１の挿通孔２６から、児童の顎の下に位置する紐留めストッパー３３までの部分長さと、第２の挿通孔２７から児童の顎の下に位置する紐留めストッパー３３までの部分長さをそれぞれ調節して固定する。これによって、外装部材１３と内装部材１４との間にシート状発泡材２２が配置された状態のカバー本体２１を、防災頭巾に変形させた状態として保持することができる。
【００３２】
以上、本考案を、実施の形態を参照して説明してきたが、本考案は何ら上記した実施の形態に記載した構成に限定されるものではなく、実用新案登録請求の範囲に記載されている事項の範囲内で考えられるその他の実施の形態や変形例も含むものである。
更に、本実施の形態とその他の実施の形態や変形例にそれぞれ含まれる構成要素を組合わせたものも、本考案に含まれる。
【符号の説明】
【００３３】
１０：防災救命ランドセルカバー、１１：ランドセル、１２：被せ蓋、１３：外装部材、１４：内装部材、１５：開口、１６：取り出し口、１７：掛止部、１８：入口、１９：出口、２０：保持部、２０ａ：接続部材、２１：カバー本体、２２：シート状発泡材、２３：内蓋、２４：蛍光反射材、２５：貫通孔、２６：第１の挿通孔、２７：第２の挿通孔、２８：第３の挿通孔、２９：第４の挿通孔、３０、３１：抜け留め部、３２：紐部材、３３：紐留めストッパー、３４：縁取り用バイアステープ
【図１】
0003209091.tif 000003
【図２】
0003209091.tif 000004
【図３】
0003209091.tif 000005
【図４】
0003209091.tif 000006
【図５】
0003209091.tif 000007